(57)【要約】【課題】携帯端末でテレビ番組を視聴しながら帰宅した際に、煩わしい操作をすることなく、かつ瞬時に、同じ番組を据置型のテレビ受像機等でも視聴することが可能な携帯受信端末又は機器制御システム等を提供する。【解決手段】テレビ放送を受信可能な携帯受信端末であって、この携帯受信端末において視聴中のテレビ番組のチャンネルを特定する選局情報抽出部６と、この携帯受信端末によって制御する対象であるテレビ受像機のリモコンコードに合わせて、特定されたチャンネルに選局を一致させるためのリモコン制御信号を生成する制御信号生成部７と、生成されたリモコン制御信号をテレビ受像機に送信する制御信号送信部８とを備える。【選択図】図３
2008306253.tif 000002
【特許請求の範囲】
【請求項１】
テレビ放送を受信可能な携帯受信端末であって、
当該携帯受信端末において視聴中のテレビ番組のチャンネルを特定する選局情報抽出手段と、
当該携帯受信端末によって制御する対象であるテレビ受像機のリモコンコードに合わせて、前記特定されたチャンネルに選局を一致させるためのリモコン制御信号を生成する制御信号生成手段と、
生成された前記リモコン制御信号を前記テレビ受像機に送信する制御信号送信手段と
を備える携帯受信端末。
【請求項２】
前記携帯受信端末は、さらに、
当該携帯受信端末から前記テレビ受像機に前記リモコン制御信号を送信すべきか否かを判定する制御手段を備え、
前記制御信号送信手段は、前記制御手段において前記リモコン制御信号を送信すべきと判別された場合にのみ、前記リモコン制御信号を送信する
請求項１記載の携帯受信端末。
【請求項３】
前記携帯受信端末は、さらに、視聴状況転送ボタンを備え、
前記制御手段は、ユーザによって前記視聴状況転送ボタンが押下された場合に、前記リモコン制御信号を送信すべきであると判定する
請求項２記載の携帯受信端末。
【請求項４】
前記携帯受信端末は、さらに、
当該携帯受信端末が前記テレビ受像機の所定のエリア内に入ったか否かを判定するエリア判定手段を備え、
前記制御手段は、当該携帯受信端末が前記所定のエリア内に入ったと判定された場合に、前記リモコン制御信号を送信すべきと判定する
請求項１記載の携帯受信端末。
【請求項５】
前記携帯受信端末は、さらに、
ユーザによって指示された前記テレビ受像機の操作に関する操作情報を格納する格納手段を備え、
前記制御信号生成手段は、さらに、前記操作情報が示す操作を実現するためのリモコン操作信号を生成し、
前記制御信号送信手段は、前記リモコン制御信号と共に前記リモコン操作信号を送信する
請求項１記載の携帯受信端末。
【請求項６】
前記操作情報が示す操作には、前記テレビ受像機の電源をＯＮにする操作が含まれ、
前記制御信号生成手段は、さらに、前記電源をＯＮにする操作を実現するためのリモコン操作信号を生成する
請求項５記載の携帯受信端末。
【請求項７】
携帯受信端末は、さらに、
第１のテレビ受像機から前記リモコン制御信号を受信する受信手段を備え、
前記制御信号送信手段は、受信した前記リモコン制御信号を第２のテレビ受像機に送信する
請求項１記載の携帯受信端末。
【請求項８】
テレビ放送を受信可能な携帯受信端末とテレビ受像機とを有する機器制御システムであって、
前記携帯受信端末は、テレビ放送を受信可能な携帯受信端末であって、
当該携帯受信端末において視聴中のテレビ番組のチャンネルを特定する選局情報抽出手段と、
当該携帯受信端末によって制御する対象であるテレビ受像機のリモコンコードに合わせて、前記特定されたチャンネルに選局を一致させるためのリモコン制御信号を生成する制御信号生成手段と、
生成された前記リモコン制御信号を前記テレビ受像機に送信する制御信号送信手段とを備え、
前記テレビ受像機は、
前記携帯受信端末から前記リモコン制御信号を受信する制御信号受信手段と、
受信した前記リモコン制御信号に応じて、当該テレビ受像機の選局を制御する機器制御手段とを備える
機器制御システム。
【請求項９】
テレビ放送を受信可能な携帯受信端末によってテレビ受像機を制御するための機器制御方法であって、
前記携帯受信端末において、
視聴中のテレビ番組のチャンネルを特定する選局情報抽出ステップと、
前記テレビ受像機のリモコンコードに合わせて、前記特定されたチャンネルに選局を一致させるためのリモコン制御信号を生成する制御信号生成ステップと、
生成された前記リモコン制御信号を前記テレビ受像機に送信する制御信号送信ステップとを含み、
前記テレビ受像機において、
前記携帯受信端末から前記リモコン制御信号を受信する制御信号受信ステップと、
受信した前記リモコン制御信号に応じて、前記テレビ受像機の選局を制御する機器制御ステップとを含む
機器制御方法。
【請求項１０】
テレビ受像機を制御する携帯受信端末に用いられる、コンピュータに実行させるためのプログラムであって、
前記プログラムは、
前記携帯受信端末において視聴中のテレビ番組のチャンネルを特定する選局情報抽出ステップと、
前記テレビ受像機のリモコンコードに合わせて、前記特定されたチャンネルに選局を一致させるためのリモコン制御信号を生成する制御信号生成ステップと、
生成された前記リモコン制御信号を前記テレビ受像機に送信する制御信号送信ステップと
を含むプログラム。
【発明の詳細な説明】
【技術分野】
【０００１】
本発明は、テレビ受像機の遠隔制御技術に関し、特にテレビ放送波を受信可能な携帯端末からテレビ受像機を遠隔制御する機器制御システムに関するものである。
【背景技術】
【０００２】
従来、デジタルテレビ放送における１セグメント放送用の携帯端末でリモコンコード等のチャンネル選局情報を抽出し、ネットワークを経由して据置型の記録／再生装置に上記のチャンネル選局情報を送信することで、上記録画／再生装置を制御し、録画予約等を行う技術が開示されている（例えば、特許文献１参照）。
【特許文献１】特開２００５−２７７５８５号公報（第１図等）
【発明の開示】
【発明が解決しようとする課題】
【０００３】
上記のように、１セグメント放送の運用開始により、移動中でも携帯端末によってテレビ番組の視聴が可能となっている。このような場合、帰宅後に移動中に視聴していた番組を直ちに据置型のテレビ受像機で視聴したい場合がある（例えば、スポーツの中継番組など）。
【０００４】
しかしながら、従来の機器制御システムは、ネットワークの利用を前提として、屋外の携帯端末から操作情報を送信して家庭内にある機器を制御するものである。つまり、ユーザが帰宅した際に、その携帯端末の視聴状況に合わせて、携帯端末から家庭内にある機器を直接制御するものではない。また、上記要望を満足し得るシステム等は提案されていない。
【０００５】
本発明は、上記課題に鑑みてなされたものであり、携帯端末でテレビ番組を視聴しながら帰宅した際に、煩わしい操作をすることなく、かつ瞬時に、同じ番組を据置型のテレビ受像機等でも視聴することが可能な機器制御システム等を提供することを目的とする。
【課題を解決するための手段】
【０００６】
上記目的を達成するために、本発明に係る携帯受信端末は、テレビ放送を受信可能な携帯受信端末であって、当該携帯受信端末において視聴中のテレビ番組のチャンネルを特定する選局情報抽出手段と、当該携帯受信端末によって制御する対象であるテレビ受像機のリモコンコードに合わせて、前記特定されたチャンネルに選局させるためのリモコン制御信号を生成する制御信号生成手段と、生成された前記リモコン制御信号を前記テレビ受像機に送信する制御信号送信手段とを備える。
【０００７】
これにより、ユーザが携帯端末でテレビ番組を視聴しながら帰宅した際に、煩わしい操作をすることなく、かつ瞬時に、同じ番組を据置型のテレビ受像機等でも視聴することが可能となる。
【発明の効果】
【０００８】
本発明に係る機器制御システムにより、ユーザが帰宅した際に、携帯可能な通信情報端末の現在の使用状況を抽出し、通信制御信号として家庭内の機器に送ることで、前記機器の使用状況を前記通信情報端末の使用状況に適合させることができる。
【０００９】
従って、前記通信情報端末の使用状況に適合させられた前記機器は通信携帯端末でできなかった機能（例えば、大画面化、高精細度化、記憶）を可動させ、より使い勝手のよい使用環境をすぐにユーザに提供することができる。
【発明を実施するための最良の形態】
【００１０】
以下、本発明に係る実施の形態について図面を参照しながら説明する。なお、本発明について、以下の実施の形態および添付の図面を用いて説明を行うが、これは例示を目的としており、本発明がこれらに限定されることを意図しない。
【００１１】
なお、以下の実施の形態では、本発明に関連する内容について重点的に説明し、従来技術と同じ内容については省略する。また、以下の実施の形態においては、同じ符番を付した構成要素は同じ機能、動作であることを表わし、重複する説明は省略する。
【００１２】
（実施の形態１）
図１は、本実施の形態における機器制御システム１００の概略を示すブロック図である。機器制御システム１００は、ユーザが移動中に携帯端末で視聴していたテレビ番組を屋内等の据置型のテレビ受像機等で継続して視聴することが可能なシステムであり、１セグメントデジタル放送を受信可能な携帯受信端末１、アンテナ５９を介して地上波デジタル放送を受信可能なテレビ受像機（以下、「ＴＶ」とも記す。）３１、地上波デジタル放送を録画するビデオレコーダ４１及び５．１ｃｈマルチサラウンドシステムを備えるオーディオアンプ５１を備える。
【００１３】
携帯受信端末１は、例えば、１セグメントデジタル放送を受信可能な携帯電話やＰＤＡである。
【００１４】
テレビ受像機３１は、地上波デジタル放送（１３セグメント放送）を受信可能な据置型のテレビ受像機である。
【００１５】
ビデオレコーダ４１は、例えばＤＶＤレコーダ、ＨＤＤ（Hard Disk Drive）又はＳＤカード等の半導体メモリであり、デジタルテレビ放送を録画し得る記録媒体である。
【００１６】
オーディオアンプ５１は、ビデオレコーダ４１等に接続される５．１ｃｈマルチサラウンドシステムを備えるアンプであり、スピーカ３５ａ、３５ｂから音声を出力する。なお、オーディオアンプ５１はＴＶ３１に接続されていてもよい。また、スピーカ３５ａ、３５ｂは一例であり、勿論６つのスピーカで構成してもよい。
【００１７】
なお、上記のＴＶ３１、ビデオレコーダ４１及びオーディオアンプ５１は、ＨＤＭＩ又はＩＥＥＥ１３９４等のデジタルインターフェース（以下、「デジタルＩＦ」という。）で接続されていてもよい。さらに、上記３台の機器が１セットのシステムで構成されていたり、１台の機器でＴＶ３１、ビデオレコーダ４１及びオーディオアンプ５１全ての機能を備えるものでもよい。
【００１８】
図２は、本実施の形態に係る携帯受信端末１の外観図である。図２に示すように、携帯受信端末１は、本発明で特徴的な「視聴状況転送ボタン５ａ」を備える。視聴状況転送ボタン５ａは、ユーザによってこのボタンが押下されると、携帯受信端末１で視聴中のテレビ番組が特定され、そのテレビ番組のチャンネルを示す情報が（テレビ受像機３１宛に）送信される。なお、視聴状況転送ボタン５ａは、「ＯＮ／ＦＦ」のトグルスイッチになっており、「ＯＮ」に設定されている場合は、上記のテレビ番組のチャンネルを示す情報を自動的に送信することとしてもよい。
【００１９】
図３は、機器制御システム１００における携帯受信端末１及びテレビ受像機３１の機能構成を示すブロック図である。図３に示すように、携帯受信端末１は、主記憶部２、制御部３、ＲＡＭ４、入力部５、選局情報抽出部６、制御信号生成部７、制御信号送信部８、端末チューナ部１０、スピーカ１１、端末映出部１５及び表示部１６を備え、各部は内部バス１７で相互に接続されている。
【００２０】
主記憶部２は、例えば半導体メモリ、ＨＤＤ又は光ディスク等であり、予め、使用するテレビ受像機３１やビデオレコーダ４１等のメーカのリモコンに関する情報（即ち、これらの機器を遠隔制御するためのリモコンコード等）を格納する。もし、予め格納されていない場合は、メーカの公開サイトからダウンロードにすることによって入手することとする。
【００２１】
制御部３は、例えば制御プログラムを格納するＲＯＭ等を備えるマイクロコンピュータであり、携帯受信端末１の各部の動作を制御する。
【００２２】
入力部５は、例えばテンキーやボタン等を備え、ユーザから指示や文字等を受け付ける。
【００２３】
選局情報抽出部６は、端末チューナ部１０において選局されているチャンネルを示す情報を特定する。
【００２４】
制御信号生成部７は、テレビ受像機３１のリモコンコード等に対応する（即ち、テレビ受像機３１が識別可能な）制御信号を生成する。より具体的に説明すると、制御信号生成部７は、内部バス１７を介してテレビ受像機３１のリモコンコード等を取得し、選局情報抽出部６によって特定されたチャンネルを示す情報を用いて、テレビ受像機３１の選局等を制御する（例えば、携帯受信端末１とテレビ受像機３１の選局を一致させる）ためのリモコン制御信号を生成する。
【００２５】
制御信号送信部８は、制御信号生成部７によって生成されたリモコン制御信号を赤外線等によって送信する。
【００２６】
端末チューナ部１０は、地上波デジタルテレビ放送の１セグメント放送を受信して復調してデータストリームを生成し、このデータストリームを端末映出部１５に送信する。
【００２７】
スピーカ１１は、受信した１セグメント放送における音声を出力する。なお、当該スピーカ１１に代え、イヤフォンジャック等を備えることとしてもよい。
【００２８】
端末映出部１５は、端末チューナ部１０において復調されたデータストリームを画像データと音声データに分解する。なお、端末映出部１５は、システムデコーダ部１２、ＡＶデコーダ部１３及びグラフィック制御部１４を備える。端末映出部１５の動作について後述する。
【００２９】
表示部１６は、例えば、ＱＶＧＡ（Quarter VGA：３２０×２４０画素）方式の数インチの液晶パネルであり、１セグメント放送の画面や必要な情報を提示する。
【００３０】
次に、図５〜図７、図９及び図１０を参照しながら、端末映出部１５及び選局情報抽出部６の動作について説明する。
【００３１】
図６に示すように、端末チューナ部１０で選局された「ＸＸｃｈ」の番組プログラムは、ＭＰＥＧ２規格で規定されている、ＴＳパケット（１８８バイト）を構成要素とするトランスポート・ストリーム（ＴＳ）として出力される。このＴＳパケットは、ＰＩＤ、アダプテーションフィールド、ペイロードからなり、ＰＩＤの値で各情報が識別できる。また、アダプテーションフィールドではＰＣＲ等のプログラム時刻基準値、及び１８８バイト長のためのスタッフィングが送られ、ペイロードでは実際の分割された映像、音声及びデータ等が含まれている。なお、映像、音声又は字幕データ等の時間に同期して再生する必要があるストリームはＰＥＳパケット形式で、データ放送などの付加データはセクションと呼ばれる形式で伝送される。従って、同じＰＩＤのペイロードをつなぎ合わせることによって、映像、音声又はデータ等の各コンポーネントを分離して復元することができる。
【００３２】
即ち、図７に示すようなプロセスで必要なデータが復元される。特に、データ放送などの付加データはセクション形式で構成されているので、セクション条件をさらに設定することでセクションフィルタを構成し、付加データを必要な種類毎に分離することができる。
【００３３】
また、１セグメント放送では、予め決められた固定値のＰＩＤにＮＩＴ（Network Information Table）がセクション形式でＴＳに挿入されている。このＮＩＴには、伝送路の情報と放送番組を関連づける情報（例えば、リモコンＩＤ）、及び各番組の映像、音声又はデータ等のコンポーネントのＰＩＤが記述されるＰＭＴのＰＩＤが明記されている。従って、１セグメント放送用のＴＳからＰＩＤの予め決められた固定値でＮＩＴを選択し、ＮＩＴの内容から１セグメント放送の付加データ、及び必要なコンポーネントのＰＩＤを抽出することができる。上記の各データの階層をまとめたものを図５に示す。
【００３４】
つまり、上記の端末チューナ部１０からＴＳを受信すると、システムデコーダ部１２は、ＰＩＤの固定値からＮＩＴを取得し、さらにＮＩＤのデータからＰＭＴのＰＩＤを取得し、ＰＭＴから各コンポーネントのＰＩＤを取得して必要なデータを順に選択していく。
【００３５】
次に、上記システムデコーダ部１２から出力された映像、音声は、ＡＶデコーダ部１３に入力され、音声は「ＭＰＥＧ２  ＡＡＣ規格」に従ってデコードされてスピーカ１２から音声として出力され、映像は「Ｈ．２６４規格」に従ってデコードされ、グラフィック制御部１４に出力される。なお、ここでは、ＭＰＥＧ２ ＡＡＣ規格、及び、Ｈ．２６４規格でのデコードの詳細な説明は省略する。
【００３６】
次に、グラフィック制御部１４では、制御部３から出力されたモニタ再生位置信号等に従って表示する位置を決定し、表示部１６に出力する。表示部１６ではグラフィック制御部１４の指示に従って、映像を映出する。
【００３７】
また、前記システムデコーダ部１１から出力された番組プログラムを関連づける情報は、一時的に内部バス１７を経由してＲＡＭ４に格納される。
【００３８】
上記のＮＩＴには物理チャンネル、放送局名、及びリモコンＩＤ（リモコンキー番号）、サービスＩＤが記述されている。このサービスＩＤは、最大３種類（物理チャンネルに許される番組編成数で、ＳＤ−ＴＶの場合、最大３種類となる。）のＩＤが許可されており、番組編成種類に応じて与えられる。
【００３９】
また、サービスＩＤからリモコンにより直接選択できる３桁チャンネル番号を特定することができ、さらに、番組編成に応じたＰＭＴのＰＩＤ値を特定することができる。即ち、１セグメント放送でも、１３セグメント放送と同じように、３種類の番組を送出することができ、上記の３種類の番組をサービスＩＤで識別することができる。通常、１セグメント放送では、１３セグメント放送と同じ番組が放送されている。
【００４０】
次に、図９と図１０の表を用いて、関東地区における１セグメント放送で使用されているＮＩＴと関西地区における１セグメント放送で使用されているＮＩＴを用いて、チャンネルを示す情報を抽出する例について説明する。
【００４１】
なお、ユーザが帰宅した際に通信情報端末１で視聴している番組を据置型のテレビ受像機３１で再生する場合を想定しているので、図９又は図１０のいずれか１つのエリアが特定される。
【００４２】
一方、テレビ受像機３１は、機器受信部２１、機器チューナ部２２、機器映出部２３、制御信号受信部２４、機器制御部２５、表示部２６、スピーカ２７、記憶部２８及びデジタルＩＦ部３０を備え、各部は内部バス２９で相互に接続されている。さらに、テレビ受像機３１は、デジタルＩＦ部３０を介してビデオレコーダ４１に接続されている。
【００４３】
機器受信部２１は、地上波デジタルテレビ放送波を受信して復調し、チューナ部に送信する。より具体的には、機器受信部２１は、機器制御部２５の指示にしたがって物理チャンネルの選局を変更し、通信情報端末１において視聴している物理チャンネルに設定する。
【００４４】
機器チューナ部２２は、機器制御部２５の指示により、テレビ番組の選局を制御する。例えば、機器チューナ部２２は、機器制御部２５から指示されたチャンネルを示す情報に基づいて、選局を変更する。
【００４５】
機器映出部２３は、上記携帯受信端末１における端末映出部１５と同等以上の機能を有する。
【００４６】
制御信号受信部２４は、携帯受信端末１から送信されたリモコン制御信号を受信する。
【００４７】
機器制御部２５は、制御プログラムを格納するＲＯＭ等を備えるマイクロコンピュータであり、テレビ受像機３１の各部の動作を制御する。さらに、機器制御部２５は、受信されたリモコン制御信号を解読して、当該テレビ受像機３１及びテレビ受像機３１に接続されている他の機器に対する必要な制御を実行する。例えば、リモコン制御信号にチャンネルを示す情報が含まれている場合は、この情報を用いて、テレビ受像機３１の選局を変更するために、機器チューナ部２２に指示する。
【００４８】
表示部２６は液晶デバイス構成、ＣＲＴデバイス構成、あるいは、ＰＤＰデバイス構成のいずれかで構成されており、表示部２６は前記機器映出部２３の出力信号を表示する。
【００４９】
また、機器映出部２３から出力される音声信号はスピーカ２７から出力される。
【００５０】
ここで、機器制御部２５は表示を通信情報端末１に合わせたチャンネルに切り換えたことがユーザに通知するため、チャンネルコード等の操作情報を文字情報として表示するように機器映像出２３にあわせて指令し、表示部２６にて表示してもよい。
【００５１】
デジタルＩＦ部３０は、テレビ受像機３１の外部に接続されるビデオレコーダ４１等の機器とのデータのやりとりを制御する。具体的には、デジタルＩＦ部３０は、ＩＥＥＥ１３９４規格の構成又はＨＤＭＩ規格の構成のいずれで構成されてもよく、各規格にしたがえば、他の機器の接続の有無、電源ＯＮ／ＯＦＦの状態を把握し、それらの状態に従ってテレビ受像機３１を制御する。例えば、テレビ受像機３１の電源が「ＯＦＦ」状態である場合は電源を「ＯＮ」状態にし、各信号の受信と映像の再生ができる状態に制御することができる。
【００５２】
ここで、本発明の前提となる地上波デジタル放送における１セグメント放送と１３セグメント放送について説明する。
【００５３】
図４は、物理的なチャンネル割当を示す図である。地上デジタル放送では、ＵＨＦ帯域を使用して、１３ｃｈ〜６２ｃｈの物理チャンネルが設定されており、各、物理チャンネル毎に放送局が決定されている（例えば、東京地区ではＮＨＫ総合の物理チャンネルが２７となる。）。
【００５４】
各物理チャンネルは、１３セグメントに分割され、そのうちの１つが１セグメント放送用のセグメントであり、ＨＤ−ＴＶ用（映像及び音声ソース信号としての必要レートは７４６Mbps）として残りの１２セグメントが使用されて、１ｃｈ（１プログラム）が放送される。
【００５５】
また、ＳＤ−ＴＶ用（映像及び音声ソース信号としての必要レートは１２４Mbps）として、残りの４セグメントで１ｃｈ（１プログラム）、即ち１２セグメントで３ｃｈ（３プログラム）が放送される。
【００５６】
図８は、１セグメント放送と１３セグメント放送における機能の違いをまとめた表である。
【００５７】
１セグメント放送においては、映像信号をＱＶＣＡ（３２０×２４０画素）、１５フレーム／秒（fps）で放送しているため、音声信号も低レートを目的とした「５．１ｃｈマルチサラウンドモード」（以下、「５．１ｃｈマルチ」という。）に対応しておらず、また、データ放送（字幕機能等）も低レートを目的とした「Ｃ profile、ＢＭＬバージョン１２」が採用されており、携帯受信端末１の表示モニタサイズ（約２インチサイズ）に適合した放送となっている。また、地上デジタル放送における１セグメント放送は、補完放送として位置づけられており、１セグメント放送で放送されているプログラムは１３セグメント放送で同一プログラムが同一時刻に放送されている。
【００５８】
一方、１３セグメント放送においては、ＨＤ−ＴＶ、ＳＤ−ＴＶ又は、５．１ｃｈマルチに対応した放送を可能とする。
【００５９】
次に、以上のように構成される機器制御システム１００の動作について、図１１及び図１２を参照しながら説明する。
【００６０】
図１１は、携帯受信端末１の動作を示すフローチャートである。
【００６１】
まず、通信情報端末１では、電源が「ＯＮ」になると、１セグメント放送の受信が開始され、ユーザによって設定される「視聴状況転送ボタン」が「ＯＮ」又は「ＯＦＦ」の何れであるかについて確認する（Ｓ１０１）。
【００６２】
もし、視聴状況転送ボタンが「ＯＮ」の場合は、携帯受信端末１の視聴状況等を特定する（Ｓ１０２）。即ち、１セグメント放送の諸情報（物理チャンネル情報、リモコンＩＤ、及び３桁チャンネル番号）、並びにユーザが事前に入力部５を介して設定している制御要求情報（例えば、ＴＶ等の機器に電源起動させてすぐに表示する、ＤＶＤ等の機器に記録する、追いかけ再生の機能を起動させる、アンプ等の機器を起動させてサラウンド機能を起動させる等を示す情報）を取得して、上記特定を行う。
【００６３】
次に、上記の視聴状況等を示す情報を、各機器の制御情報（例えば、テレビ受像機３１のリモコンコード）の形式に合わせたリモコン制御信号を生成する（Ｓ１０３）。
【００６４】
次に、入力部５から入力されたユーザの各機器（テレビ受像機３１又はビデオレコーダ４１等）に送信すべきか否かを判定する（Ｓ１０４）。もし、送信すべきであると判定された場合は、制御すべき対象機器（例えば、テレビ受像機３１）にリモコン制御信号を送信する（１０５）。
【００６５】
なお、制御すべき対象機器として、テレビ受像機３１に加えてビデオレコーダ４１がある場合は、前記と同様に、予め入力部５から入力されているユーザの指示がビデオレコーダ４１についての「今すぐ録画」が追加されていれば、ビデオレコーダ４１による録画を行うため、レコーダの機器チューナ部２２の選局を所望のチャンネルに設定し、「今すぐ録画」に必要な制御信号を制御信号生成部７で生成する。
【００６６】
さらに、制御すべき対象機器が、テレビ受像機３１に加えてオーディオアンプ５１がある場合は、上記と同様に、予め入力部５から入力されているユーザからの指示にサラウンド機能が追加されていれば、テレビ受像機３１を所望のチャンネルに合わせ、オーディオアンプ５１の電源を「ＯＮ」し、サラウンドモードにするために必要なリモコン制御信号を制御信号生成部７で生成する。
【００６７】
次に、テレビ受像機３１の動作について説明する。図１２は、テレビ受像機３１の動作を示すフローチャートである。
【００６８】
まず、テレビ受像機３１の機器制御部２５は、携帯受信端末１から送信されたリモコン制御信号の受信の可否について判断する（Ｓ２０１）。もし、リモコン制御信号を受信した場合は、必要に応じて制御対象の機器の電源を「ＯＮ」にする（Ｓ２０２）。即ち、すぐにテレビ番組を表示させたい場合は、テレビ受像機３１の電源（より具体的には「主電源」）を「ＯＮ」にし、すぐに放送番組の録画を行いたい場合は、ビデオレコーダ４１の電源を「ＯＮ」にする。
【００６９】
次に、機器制御部２５は、制御対象の機器の視聴状況等を特定する（Ｓ２０３）。例えば、テレビ受像機３１では、現在どのチャンネルが表示されているか、ビデオレコーダ４１から入力された映像が表示されているか等の視聴状況等を特定する。また、ビデオレコーダ４１については、予約記録又は「今すぐ録画」等の機能が稼働中か否かについても特定する。また、オーディオアンプ５１等の周辺機器が接続されているかどうか、電源ＯＮ等が必要かどうかのデジタルＩＦ部３０の接続先機器の状態についても特定する。
【００７０】
次に、機器制御部２５は、リモコン制御信号の内容を識別する（Ｓ２０４）。さらに、機器制御部２５は、リモコン制御信号の内容に応じて、制御対象の機器を制御する（Ｓ２０５）。例えば、機器チューナ部２２に対して、リモコン制御信号に示されているチャンネルに選局を変更するように指示する。
【００７１】
図１３は、本実施の形態に係る携帯受信端末１における表示例である。図１３に示されるように、メニュー画面を表示部１６に表示し、テレビ受像機３１に対するチャンネル制御以外の操作内容をユーザから受け付け、これに基づいて、制御信号生成部７がリモコン操作信号を生成することとしてもよい。
【００７２】
（実施の形態２）
上記実施の形態１では、携帯受信端末が視聴中のチャンネルを示す情報に基づいてテレビ受像機を制御する実施例について説明したが、本実施の形態では、逆に、テレビ受像機が視聴中のチャンネルを示す情報に基づいて携帯受信端末を制御する実施例について説明する。なお、本実施の形態に係るテレビ受像機５１及び携帯受信端末８１の機能は、テレビ受像機５１において視聴中の番組のチャンネルを特定し、当該特定されたチャンネルに選局させるためのリモコン制御信号を生成して携帯受信端末８１に送信する機能以外は、上記実施の形態１に係るテレビ受像機３１及び携帯受信端末１の機能と同じであるため、重複する説明は省略する。
【００７３】
図１４は、本実施の形態に係るテレビ受像機及び携帯受信端末の機能構成を示すブロック図である。図１４に示すように、テレビ受像機５１は、主記憶部５２、制御部５３、ＲＡＭ５４、入力部５５、選局情報抽出部５６、制御信号生成部５７、制御信号送信部５８、機器チューナ部６０、スピーカ６１、機器映出部６５及び表示部６６を備える。また、携帯受信端末８１は、端末受信部７１、端末チューナ部７２、端末映出部７３、制御信号受信部７４、端末制御部７５、端末入力部８０、表示部７６、スピーカ７７、記憶部７８を備える。
【００７４】
なお、テレビ受像機５１においては、選局情報抽出部５６、制御信号生成部５７及び制御信号送信部５８を除き、原則、上記実施の形態１に係る携帯受信端末１と同等以上の機能構成であるが、本発明に直接関係のない機能構成についての説明は省略する。なお、テレビ受像機５１における機器チューナ部６０、機器映出部６５及び表示部６６の機能構成は、上記実施の形態１に係るテレビ受像機３１の機器チューナ部２２、機器映出部２３及び表示部２６の機能構成と同等であるものとする。
【００７５】
選局情報抽出部５６は、機器チューナ部６０において選局されているチャンネルを示す情報を特定する。
【００７６】
制御信号生成部５７は、携帯受信端末８１で識別可能なリモコンコード等に対応するリモコン制御信号を生成する。
【００７７】
制御信号送信部５８は、制御信号生成部５７において生成されたリモコン制御信号を赤外線等によって、所定の範囲内にある携帯受信端末８１に送信する。
【００７８】
端末入力部８０は、上記実施の形態１に係る入力部５と同等の機能を有する。また、端末制御部７５は、制御プログラムを格納するＲＯＭ等を備えるマイクロコンピュータであり、携帯受信端末８１の各部の動作を制御する。さらに、端末制御部７５は、受信されたリモコン制御信号を解読して、当該携帯受信端末８１に対する必要な制御を実行する。例えば、リモコン制御信号にチャンネルを示す情報が含まれている場合は、この情報を用いて、携帯受信端末８１の選局を変更するために、端末チューナ部７２に指示する。
【００７９】
図１５は、本実施の形態に係るテレビ受像機５１の動作を示すフローチャートである。
【００８０】
まず、テレビ受像機５１では、電源が「ＯＮ」になると、１３セグメント放送の受信が開始され、ユーザによって設定される「視聴状況転送ボタン」が「ＯＮ」又は「ＯＦＦ」のいずれかであるかについて確認する（Ｓ３０１）。
【００８１】
もし、視聴状況転送ボタンが「ＯＮ」の場合は、テレビ受像機５１の視聴状況等を特定する（Ｓ３０２）。即ち、１３セグメント放送の諸情報（物理チャンネル情報、リモコンＩＤ、及び３桁チャンネル番号）、並びにユーザが事前に入力部５５を介して設定している制御要求情報を取得する。
【００８２】
次に、視聴状況を携帯受信端末８１の制御情報に合わせた形式に変換したリモコン制御信号を生成する（Ｓ３０３）。
【００８３】
次に、入力部５５から入力されたユーザの携帯受信端末８１に送信すべきか否かを判定する（Ｓ３０４）。もし、送信すべきであると判定された場合は、携帯受信端末８１にリモコン制御信号を送信する（３０５）。
【００８４】
図１６は、本実施の形態に係る携帯受信端末８１の動作を示すフローチャートである。
【００８５】
まず、携帯受信端末８１では、電源が「ＯＮ」になると、テレビ受像機５１から送信されたリモコン制御信号の受信の可否について判断する（Ｓ４０１）。もし、制御信号を受信した場合は、必要に応じて携帯受信端末８１の電源を「ＯＮ」にする（Ｓ４０２）。
【００８６】
次に、携帯受信端末８１の視聴状況等が特定される（Ｓ４０３）。例えば、携帯受信端末８１では、現在どのチャンネルが表示されているか等について特定される。
【００８７】
次に、リモコン制御信号の内容が識別され（Ｓ４０４）、リモコン制御信号に合わせて携帯受信端末８１の視聴状況を変更する（Ｓ４０５）。
【００８８】
なお、上記の実施の形態１及び実施の形態２においては、携帯受信端末−テレビ受像機間（即ち、２台の装置間）におけるチャンネル情報、及びリモコン制御信号の送受信について説明したが、２台に限定するものでなく、例えば、携帯受信端末が第１のテレビ受像機からチャンネル情報を受信して保持し、第２のテレビ受像機に送信することによって、チャンネル情報及びリモコン制御信号を持ち運ぶ役目を担うこととしてもよい。
【００８９】
また、上記の実施の形態１及び実施の形態２においては、携帯受信端末−テレビ受像機の送受信について説明したが、テレビ受像機は車載用のＴＶ受像機であっても同様の構成を搭載すれば、携帯受信端末で視聴している番組を即座に車載用のＴＶ受像機に映出でき、さらに、車載用のＴＶ受像機で視聴している番組を即座に携帯受信端末に映出できる。
【００９０】
さらに、屋内に置いてあるＴＶ受像機、あるいは車載されているＴＶ受像機の間で、携帯情報端末を媒体として、チャンネル情報及びリモコン制御情報を持ち運ぶことができる。
【産業上の利用可能性】
【００９１】
以上のように、本発明に係る携帯受信端末は、１セグメント放送を受信可能な携帯電話やＰＤＡに利用が可能であり、本発明に係る機器制御システムは、上記携帯電話やＰＤＡによって番組の選局の変更が可能なテレビ受像機やビデオレコーダを備える映像機器システム等として利用が可能である。
【図面の簡単な説明】
【００９２】
【図１】実施の形態１における機器制御システムの概略を示すブロック図である。
【図２】実施の形態１に係る携帯受信端末の外観図である。
【図３】実施の形態１に係る携帯受信端末及びテレビ受像機の機能構成を示すブロック図である。
【図４】地上デジタルテレビにおける物理的なチャンネル割当を示す図である。
【図５】地上デジタルテレビにおけるデータの階層をまとめた図である。
【図６】番組プログラムを構成するトランスポートストリームの構成を示す図である。
【図７】番組プログラムが復元されるプロセスを示す図である。
【図８】１セグメント放送と１３セグメント放送における機能の違いをまとめた表である。
【図９】関東地区における１セグメント放送で使用されているリモコンコードの一例である。
【図１０】関西地区における１セグメント放送で使用されているリモコンコードの一例である。
【図１１】実施の形態１に係る携帯受信端末の動作を示すフローチャートである。
【図１２】実施の形態１に係るテレビ受像機の動作を示すフローチャートである。
【図１３】実施の形態１に係る携帯受信端末における表示例である。
【図１４】実施の形態２に係る携帯受信端末及びテレビ受像機の機能構成を示すブロック図である。
【図１５】実施の形態２に係る携帯受信端末の動作を示すフローチャートである。
【図１６】実施の形態２に係るテレビ受像機の動作を示すフローチャートである。
【符号の説明】
【００９３】
１    携帯受信端末
２    主記憶部
３    制御部
４    ＲＡＭ
５    入力部
６    選局情報抽出部
７    制御信号生成部
８    制御信号送信部
９    アンテナ
１０    端末チューナ部
１１    スピーカ
１２    システムデコーダ部
１３    ＡＶデコーダ部
１４    グラフィック制御部
１５    端末映出部
１６    表示部
１７    内部バス
２１    機器受信部
２２    機器チューナ部
２３    機器映出部
２４    制御信号受信部
２５    機器制御部
２６    表示部
２７    スピーカ
２８    記憶部
２９    内部バス
３０    デジタルＩＦ部
３１    テレビ受像機
４１    ビデオレコーダ
５１    オーディオアンプ
１００    機器制御システム
【図１】
2008306253.tif 000003
【図２】
2008306253.tif 000004
【図３】
2008306253.tif 000005
【図４】
2008306253.tif 000006
【図５】
2008306253.tif 000007
【図６】
2008306253.tif 000008
【図７】
2008306253.tif 000009
【図８】
2008306253.tif 000010
【図９】
2008306253.tif 000011
【図１０】
2008306253.tif 000012
【図１１】
2008306253.tif 000013
【図１２】
2008306253.tif 000014
【図１３】
2008306253.tif 000015
【図１４】
2008306253.tif 000016
【図１５】
2008306253.tif 000017
【図１６】
2008306253.tif 000018